(57)【特許請求の範囲】
【請求項１】
断熱扉を備えた冷蔵庫において、
前記断熱扉は、
透光性を有すると共に裏面に有色塗料面を有するガラス板と、
該ガラス板を収納する収納部を有する扉枠と、
前記ガラス板と所定間隔で取り付けられた扉内板と、
該扉内板と前記ガラス板との間に充填発泡された発泡断熱材と、
前記有色塗料面に貼り付けられた保護部材と、を備え、
前記有色塗料面の下端は、前記扉枠に有する前記ガラス板を支持するための前側フランジの上端よりも下方に位置するとともに、前記扉枠の底面部と接触しないように位置し、
前記保護部材の下端は、前記有色塗料面を覆うと共に前記扉枠の底面部と接しない高さ位置であって、
前記保護部材の下端に形成される皺は、前記保護部材の下端から該皺の頂部までの寸法が２ｍｍ以内であることを特徴とする冷蔵庫。
【発明の詳細な説明】
【技術分野】
【０００１】
本発明は、冷蔵庫に関する。
【背景技術】
【０００２】
従来の冷蔵庫として、扉正面部に操作部（例えば押しボタン等）を備え、該操作部を操作することにより、急冷凍，急冷蔵，自動製氷装置等の諸機能を動作させる構成が知られている。また、上記操作部として、マイクロスイッチ等のメカ式スイッチが知られている。
【０００３】
さらに近年の家電製品では、静電容量型のタッチスイッチが用いられたものがある。タッチスイッチを備えた冷蔵庫の一例としては、特許文献１に記載のものがある。
【０００４】
特許文献１に記載の構成では、タッチ電極及び対向電極部を有するタッチスイッチが扉前面に設けられている。また、タッチ電極の前面部は操作パネルの表側に突出している。対向電極部は絶縁体に相当する両面印刷基板及び一対の電極を備えている。この構成において、使用者の手や指がタッチ電極に接触すると、電極間の静電容量が変化する。この静電容量の変化は、スイッチオン・オフ信号として取り出される。
【０００５】
また、扉表面の外板を透明なプラスチック若しくはガラスにより構成し、この外板の表面に操作部を印刷し、この操作部の背面に表示部を備えた冷蔵庫として、特許文献２が挙げられる。このものは、前記印刷された操作部を手で押すと、手が作り出す磁場または体温を検知して表示部に運転状態を表示する。
【先行技術文献】
【特許文献】
【０００６】
【特許文献１】特開２００６−３０４０７７号公報
【特許文献２】特表２００９−５０１３１１号公報
【発明の概要】
【発明が解決しようとする課題】
【０００７】
しかしながら、特許文献１に記載の構成では、タッチ電極が操作パネルの表側に突出しているため、使用者が濡れた手や指でタッチスイッチを操作した場合、水分がタッチスイッチを設けた部分の隙間から内部に浸入して、電気品等を破損するおそれがある。
【０００８】
また、扉表面を拭き掃除しようとする場合、平面でないため、タッチスイッチ周囲の清掃が煩雑であり、無理に拭き掃除等することで、誤動作やスイッチの故障の原因となるおそれがある。
【０００９】
また、使用者が油脂分の付着した手や指でタッチ電極を操作することで、タッチ電極が腐食して早期に劣化するおそれがある。
【００１０】
次に、特許文献２に記載の冷蔵庫は、プラスチック若しくはガラスなどの透明な外板の表面に印刷された操作部を備え、この操作部を操作するものであるから、タッチスイッチとガラスとの間には水が浸入する隙間が無く、濡れた手や指でタッチスイッチを操作若しくは濡れた布で清掃してもタッチスイッチ内部に水が浸入することはない。これは、操作部及び表示部が特許文献２の実施例のように扉の中央部に配置される場合についてであり、特許文献２の従来例の図１・図２のように操作部を扉の下端に配置し、この操作部に対向するガラスの裏面に表示部を配置した場合は、ガラスの裏面に表示部が配置されていても、扉下端の扉枠とガラスとの隙間から水が浸入し、毛細管現象でガラスの背面に備える表示部、若しくはその近くまで水が達して故障する原因となる、或いは、操作部の操作を正確に感知できず誤表示・誤動作の虞がある。
【００１１】
上記特許文献は、ガラス板の内側に水が浸入した場合に、水によってガラスを着色した塗料の色相が部分的に変わって見えること及び長期的には塗料・その他の周辺材料が変質して部分的に変色してしまう虞のあることについて何等考慮されていない。
【００１２】
本発明は上記問題を考慮し、清掃性の向上した冷蔵庫を提供することを目的とする。
【課題を解決するための手段】
【００１３】
上記課題を解決するために、本発明は、断熱扉を備えた冷蔵庫において、前記断熱扉は、透光性を有すると共に裏面に有色塗料面を有するガラス板と、該ガラス板を収納する収納部を有する扉枠と、前記ガラス板と所定間隔で取り付けられた扉内板と、該扉内板と前記ガラス板との間に充填発泡された発泡断熱材と、前記有色塗料面に貼り付けられた保護部材と、を備え、前記有色塗料面の下端は、前記扉枠に有する前記ガラス板を支持するための前側フランジの上端よりも下方に位置するとともに、前記扉枠の底面部と接触しないように位置し、前記保護部材の下端は、前記有色塗料面を覆うと共に前記扉枠の底面部と接しない高さ位置であって、前記保護部材の下端に形成される皺は、前記保護部材の下端から該皺の頂部までの寸法が２ｍｍ以内であることを特徴とする。
【発明の効果】
【００１６】
本発明によれば、清掃性の向上した冷蔵庫を得ることができる。
【図面の簡単な説明】
【００１７】
【図１】本発明の実施の形態１に係る冷蔵庫の正面図である。
【図２】図１のＰ部に示す表示部及び操作部の図である。
【図３】図１に示す扉の反ヒンジ側面の図である。
【図４】図１に示す扉のＡ−Ａ断面図である。
【図５】本発明の実施の形態２に係る基板組品の上面図である。
【図６】図１に示す扉のＢ−Ｂ断面図である。
【図７】本発明の実施の形態２に係る基板ケースを説明する図である。
【図８Ａ】本発明の実施の形態２に係る基板組品の分解斜視図である。
【図８Ｂ】図１に示す扉のＢ−Ｂ断面図であって、ＬＥＤ発光部の詳細図である。
【図９】本発明の実施の形態３に係り、図１の左冷蔵室扉の下端部の断面図である。
【図１０】図９の要部拡大断面図。
【発明を実施するための形態】
【００１８】
以下、本発明の実施の形態について、図面を参照しながら説明する。
【００１９】
〔実施の形態１〕
まず、図１から図４を用いて、実施の形態１について説明する。図１は、本発明の実施の形態に係る冷蔵庫の正面図である。図２は、図１のＰ部に示す表示部及び操作部の図である。図３は、図１に示す扉の反ヒンジ側面の図である。図４は、図１に示す扉のＡ−Ａ断面図である。
【００２０】
図１において、１は冷蔵庫本体である。冷蔵庫本体１は、上から順に冷蔵室２ｄ，冷凍室４ｄ１，野菜室５ｄ等を有している。冷蔵室２ｄと冷凍室４ｄ１との間には、急冷凍室４ｄ２が設けられて、急冷凍室４ｄ２の隣に製氷室４ｄ３が設けられている。
【００２１】
また、各貯蔵室の前方開口には、該前方開口を開閉する扉が設けられている。すなわち、冷蔵室２ｄの前方開口には、左冷蔵室扉２ａ及び右冷蔵室扉２ｂが設けられ、冷凍室４ｄ１，急冷凍室４ｄ２，製氷室４ｄ３及び野菜室５ｄの夫々の前方開口には、冷凍室扉４ｂ，急冷凍室扉４ｃ，製氷室扉４ａ及び野菜室扉５が夫々設けられている。
【００２２】
左冷蔵室扉２ａ及び右冷蔵室扉２ｂは、夫々冷蔵庫本体１の上部に設けられた上ヒンジ３（左ヒンジ３ａ，右ヒンジ３ｂ）等によって、回転自在に軸支されている。すなわち、観音開き式に構成された、いわゆるフレンチドアを構成している。
【００２３】
また、冷凍室扉４ｂ，急冷凍室扉４ｃ，製氷室扉４ａ及び野菜室扉５は、夫々引き出し式の扉であって、夫々の貯蔵室の容器とともに引き出し自在である。
【００２４】
そして、左冷蔵室扉２ａ及び右冷蔵室扉２ｂ，冷凍室扉４ｂ，急冷凍室扉４ｃ，製氷室扉４ａ並びに野菜室扉５は、その外表面に透明度のあるガラス板６ａが設けられている。
【００２５】
発泡断熱材７は、図４に示すように、ガラス板６ａから成る扉前面板６と扉内板８との間に充填発泡される。扉前面板６であるガラス板６ａの板厚は、本実施例では２mmから３.５mmである。この板厚は、冷蔵庫組み立て時，冷蔵庫移送時、及び冷蔵庫使用時等に生じる衝撃によってガラス板６ａが割れたり、亀裂が生じたりしない寸法である。
【００２６】
また、さらに強度を確保する場合や板厚を薄くする場合等には、ガラス板６ａに熱強化処理や化学強化処理等を施してもよい。なお、ガラス板６ａは絶縁体である。
【００２７】
次に、図１及び図２において、９は操作部である。操作部９は、使用者が外部から操作することで、冷蔵室２ｄ及び冷凍室４ｄ１等の各貯蔵室の室温を設定したり、冷蔵室２ｄや冷凍室４ｄ１を急速に冷却したり、製氷の大きさを設定したりする。また、冷蔵室２ｄに設けられ、貯蔵空間を減圧或いは低酸素状態にして、貯蔵食品の鮮度維持や酸化劣化の抑制を図る貯蔵室（図示なし）の温度を調節したり、減圧或いは低酸素化の機能を切るように設定したりする。すなわち、操作部９を使用者が操作することで、冷蔵庫の諸機能の設定ができる。
【００２８】
また、１０は表示部である。表示部１０は、操作部９からの入力結果を冷蔵庫本体１の外部に表示する。これにより、使用者が操作部９で行った操作を確認したり、先に設定されている諸機能の状態を確認したりすることができる。
【００２９】
操作部９及び表示部１０は、特別なパネルを取り付けたものではなく、ガラス板６ａに設けられている。すなわち、左冷蔵室扉２ａに設けられたガラス板６ａは、操作部９及び表示部１０を含めて、該左冷蔵室扉２ａの外表面全体に亘って平面になるように設けられている。
【００３０】
換言すると、操作部９及び表示部１０は、ガラス板６ａである扉前面板６に直接設けられている。このため、従来の操作パネルは省略されている。
【００３１】
また、ガラス板６ａの裏面は、表示部１０を除き、有色塗料が塗布されている。これにより、発泡断熱材７が正面側より見えないように処理されて、かつ表示部１０は明確に視認されるので、外観性の優れた扉を構成している。
【００３２】
次に、図２を参照しながら、操作部９及び表示部１０についてさらに詳細に説明する。
【００３３】
図２において、破線で囲まれた文字部分（冷凍，冷蔵，製氷，急冷、及び真空チルドの各文字）の表示は、ガラス板６ａの裏面に直接印刷等により表わされたものである。一方、操作部９は、当該文字部分が印刷された裏面に対向する位置の前面（扉前面板６であるガラス板６ａの前面）のことを称する。なお、ガラス板６ａの裏面に操作用表示（上記文字部分）を設ける手段としては、印刷の他、エッチングや象嵌等が挙げられる。
【００３４】
また、図２において、実線で囲んだ部分は、上述の操作部９の操作による入力に伴い、諸機能の設定状態を示す表示部１０である。そして、この文字表示（「強（低温），中，弱」，「強（チルド），中，弱」，「大きめ，標準，停止」，「急冷蔵，急冷凍」，「真空氷温，真空チルド，切（氷温）」）は、後述するフィルム表面に印刷等で表わされている。
【００３５】
当該フィルムは、扉前面板６であるガラス板６ａの裏面に、密着或いは隙間がごく僅かとなるよう取り付けられている。そのため、ガラス板６ａを透過して、左冷蔵室扉２ａの正面から、明確にその文字表示を確認することができる。すなわち、視認性が高く、かつ平面なガラス板で外表面が構成された、外観性の優れた扉を構成している。
【００３６】
また、操作部９及び表示部１０は、図２に示す如く上下に併設して設けられている。表示部１０には、冷蔵庫本体１の持つ機能として、急冷蔵や急冷凍が動作中である旨等が表示されるよう構成されている。
【００３７】
更に、表示部１０の文字表示は、後述する基板上のＬＥＤ（発光ダイオード）等により照明されて、ガラス板６ａ前面まで投光して、浮き上がって見えるように構成されている。
【００３８】
次に、図３において、１１は左冷蔵室扉２ａの側面に設けられた蓋である。蓋１１は、左冷蔵室扉２ａの反ヒンジ側に設けられ、隣り合う右冷蔵室扉２ｂとの間に設けられている。この構成において、左冷蔵室扉２ａ及び右冷蔵室扉２ｂが閉じている場合、蓋１１は使用者から外観上、見えないようになっている。
【００３９】
次に、図４において、２ａは左冷蔵室扉、６は扉前面板、７は発泡断熱材、８は扉内板、１２は基板組品である。基板組品１２は、表示部１０を照明するＬＥＤ発光部１３，静電容量の変化を検出する検出部１４，判定部（図示せず）マイコンを含む自動制御部（図示せず）等を備えている基板１５，表示文字が印刷されたフィルム１６，基板ケース１７等より構成されている。
【００４０】
基板１５（検出部１４を含む）は、該基板１５の表側の一面がフィルム１６で覆われ、他の一面が基板ケース１７で覆われている。フィルム１６は、検出部１４に密着している。また、フィルム１６は、ＬＥＤ発光部１３の光を裏面から表面に透過して、ガラス板６ａ側に透過させる構成である。
【００４１】
検出部１４は、左冷蔵室扉２ａへの組込み時には操作部９と対をなすものである。すなわち、図４に示すように、絶縁体であるガラス板６ａ及びフィルム１６を介して、操作部９が表側に検出部１４が裏側に重なるように設けられる。
【００４２】
なお、判定部（図示せず）は、基板１５内において操作部９と検出部１４との間の静電容量変化を検出する。静電容量に変化がある場合、当該静電容量の変化に応じて発振，振幅が変化する発振回路を含んでいる。これにより、判定部が出力するスイッチ信号，オン／オフ信号を取り出した自動制御部は、負荷を駆動させる。なお、単に操作部９の前を使用者が通ったり、冷蔵庫前面（左冷蔵室扉２ａ）を使用者が掃除のために拭いたりする動作等によっては、判定部が出力するスイッチ信号，オン／オフ信号を出力しない構成としてある。
【００４３】
すなわち、冷蔵庫の扉前面板６を構成するガラス板６ａは絶縁体であり、且つ透光性の板材である。そして、ガラス板６ａ前面を操作部９とすべく、ガラス板６ａの操作部９の裏面に、印刷等で表わされた文字で操作部９の操作内容が表示されている。
【００４４】
操作部９に対向するガラス板６ａの裏面には、基板１５上に設けられて判定部に繋がる検出部１４が、フィルム１６を介して近接するように設ける。操作部９に併設して設けられる表示部１０等の文字表示は、基板１５の表面を覆うフィルム１６の表面に印刷等で表わされている。
【００４５】
そして、表示部１０の文字表示は、基板１５上に設けられたＬＥＤ発光部１３により、裏面から照らされて明示される。更に、操作部９に手や指が触れると、基板１５上の検出部１４が、ガラス板６ａとの間の静電容量の変化を感知して、基板１５上の判定部に知らせる。そして、判定部が入力を検出すると、自動制御部を介して負荷を動作させる。
【００４６】
ここで、自動制御部を介して動作される負荷とは、急冷の場合、冷凍サイクルの強制連続運転，冷気循環ファン（図示なし）の強制連続運転、若しくは冷気供給量を制御するダンパーの強制「開」制御等である。これらの負荷を制御することにより、冷蔵室２ｄを急冷蔵としたり、冷凍室４ｄ１を急冷凍したりする。
【００４７】
基板１５に静電容量の変化を検出する検出部１４を設け、判定部が静電容量の変化を判定した際には、基板１５に備えられたブザーが報知音を発するとともに、制御内容の変化に伴い報知音に音階をつけている。
【００４８】
上記を具体的に、図２を用いて説明する。冷蔵室２ｄ又は冷凍室４ｄ１の温度を「強，中，弱」の設定に調整する場合、本実施例では、以下のサイクルにて報知音に音階をつける。
【００４９】
「弱（低音「ド」）→中（中音「ミ」）→強（高音「ソ」）→弱（低音「ド」）→…」
これにより文字を視認できない使用者が操作を行った場合であっても、上記音階の差異によって温度設定を確認することができる。
【００５０】
また、急冷凍や急冷蔵等の選択付加機能は、入力した際、以下のサイクルにて報知音に音階及び報知回数を変化させる。
【００５１】
「急冷凍（低音「ド」）→急冷蔵（中音「ミ」）→急冷凍及び急冷蔵（高音「ソ」）→停止（高音２回「ラ，ラ」）→急冷凍（低音「ド」）…」。
【００５２】
特に、付加機能無し（停止）を選択した場合、上記のように、報知音回数を複数回とすることにより、視覚によって認識しなくても、使用者が聴覚によって容易に設定内容を確認することができる。
【００５３】
次に、図４において、１８はケースカバーである。ケースカバー１８は、基板組品１２を発泡断熱材７より隔離する役目を果たす。また、基板１５表面のフィルム１６を、扉前面板６であるガラス板６ａに密接若しくは近接するように、基板組品１２をケースカバー１８内に保持する役目を果たす。
【００５４】
１９はガラス板６ａ裏面に施された有色塗料面を示す。有色塗料面１９は、表示部１０を除き、ガラス板６ａの裏面全域に設けられている。
【００５５】
１９ａは保護フィルムである。保護フィルム１９ａは、ガラス板６ａに大きな衝撃が加えられてガラスが割れた場合や亀裂が入った場合であっても、周囲に飛び散らないよう保護している。また、この保護フィルム１９ａは、有色塗料面と同じ面に貼られている。このことにより、扉正面側より発泡断熱材７が透けることで、外観を損なうことを防止している。
【００５６】
また、基板組品１２の短手方向と、ガラス板６ａの短手方向は、交差するように配設されている。これは、ガラス板６ａに熱処理を加えた場合、ガラス板６ａの歪は長手方向に現れやすい性質に基づく。すなわち、この性質に鑑みて、基盤組品１２を設置した場合における、ガラス板６ａの歪の影響を抑制する構成としている。
【００５７】
ここで、ガラス板６ａの長手方向に、基板組品１２の長手方向が沿うように組み込んだ場合、ガラス板６ａの歪の影響を受け、ガラス板６ａと基板１５上の検出部１４との間に隙間が生じやすくなる。これにより、操作部９からの入力内容が、検出部１４にうまく伝わらない、という課題を生じる。
【００５８】
そこで、本実施の形態では、基板組品１２の長手方向はガラス板の長手方向に交差する方向に配設している。
【００５９】
また、冷蔵庫の扉表面を１枚のガラス板６ａとすることにより、製造原価を低減することができる。なお、ガラス板６ａと検出部１４との間の隙は、ガラス板６ａの歪を含め０.２mm以下とする必要がある。０.２mm以上の隙間が生じた場合、操作部９からの入力内容が、検出部１４にうまく伝わらない、という課題を生じることが、本発明者らの試験等によって判明している。
【００６０】
また、基板組品１２は、冷蔵庫本体１の最上部に設けられた冷蔵室２ｄの扉、すなわち、左冷蔵室扉２ａに設けられている。この高さ位置は、小さな子供の手が届かない位置である。また、使用者にとって見やすく操作し易い位置となる。
【００６１】
さらに、本実施形態の場合、操作部９及び表示部１０が従来の如く扉前面板６より突出していない。これにより、小さな子供は操作部９及び表示部１０がそこにあること自体を認識し難い。すなわち、子供による悪戯操作を低減できる。
【００６２】
〔実施の形態２〕
次に、本発明の実施の形態２について、図５から図８を参照しながら説明する。
【００６３】
図５は、本発明の実施の形態に係る基板組品の上面図である。図６は、図１に示す扉のＢ−Ｂ断面図である。図７は、本発明の実施の形態に係る基板ケースを説明する図である。図８Ａは、本発明の実施の形態に係る基板組品の分解斜視図である。図８Ｂは、図１に示す扉のＢ−Ｂ断面図であって、ＬＥＤ発光部の詳細図である。
【００６４】
図において、２ａは左冷蔵室扉、６は扉前面板、７は発泡断熱材、８は扉内板、１１は蓋、１２は基板組品、１６はフィルム、１７は基板ケースである。
【００６５】
図８Ａ及び図８Ｂに示すように、基板組品１２は、基板ケース１７，ＬＥＤ発光部１３，基板１５、及びフィルム１６が順に組み合わされたものである。
【００６６】
表示部１０の背面には、当該表示部１０を後から照明するＬＥＤ発光部１３が位置する。すなわち、表示部１０の背面に位置する基板１５は、その一部を切り欠いた形状をなしており、当該切り欠き部分からＬＥＤ発光部１３が臨むように設けられる。
【００６７】
操作部９の背面には、静電容量の変化を検出する検出部１４が位置する。基板１５は、検出部１４，判定部（図示せず）及びマイコンを含む自動制御部（図示せず）等を備えている。
【００６８】
基板１５は、一面がフィルム１６で覆われ、他面が基板ケース１７で覆われている。フィルム１６は、検出部１４に密着している。また、ＬＥＤ発光部１３の光を透過する。
【００６９】
検出部１４は、左冷蔵室扉２ａへの組み込み時には、ガラス板６ａ側の操作部９と対をなすものである。すなわち、絶縁体であるガラス板６ａ及びフィルム１６の前側に操作部９が設けられ、検出部１４が裏側（フィルム１６を介して基板１５側）になるよう図４の如く重なるように設けられている。
【００７０】
次に、２０はスライド部材である。スライド部材２０は、図８Ａに示すように、基板ケース１７の四隅に夫々設けられている。
【００７１】
２１は基板１５を収納する凹部である。凹部２１は、基板ケース１７に設けられており、基板１５が備えるマイコン等が収納される深さを有する。
【００７２】
２２は、基板１５と冷蔵庫本体１側に設けた別の基板（図示せず）との間を接続するためのコネクタである。コネクタ２２は、基板ケース１７の端部に図５の如く設けられている。
【００７３】
２３は基板ケース１７の底面に設けられた係止部である。係止部２３は、樹脂製の基板ケース１７と一体に設けられている。弾性を有しており、矢印Ｑ方向に可変可能に形成されている。
【００７４】
２４は挿入部である（図７参照）。挿入部２４は、左冷蔵室扉２ａの扉枠２ｃ側面に図に示す如く設けられている。挿入部２４は、ケースカバー１８と一体に設けられている。換言すると、ケースカバー１８によって形成される空間の入口部を、挿入部２４によって構成している。
【００７５】
１１は、挿入部２４を着脱自在に閉塞する蓋である。蓋１１は、図６及び図７に示すように、扉枠２ｃと平面をなすように設けられている。これにより、使用者が左冷蔵室扉２ａを開けた場合でも、蓋１１と扉枠２ｃとの境界が目立たず、意匠性を損なわない。また、蓋１１と扉枠２ｃとを同一色とすることで、さらに意匠性を損なわないことに寄与する。
【００７６】
２５は、ケースカバー１８に設けられたガイド溝である。ガイド溝２５は、挿入部２４から挿入された基板組品１２を、ケースカバー１８内にスライドして案内する。すなわち、基板ケース１７に設けられたスライド部材２０を、ガイド溝２５内をスライドさせて、基板組品１２をケースカバー１８内に組み込む。
【００７７】
この時、ガイド溝２５の終端部２５ａ付近で、基板１５表面側とガラス板６ａ間の寸法を可変させる。すなわち、ガイド溝２５は、基板１５上の検出部１４がガラス板６ａに密着或いは近接するように、終端部２５ａがスライド部材２０を導く構造を成している。換言すると、基板組品１２を挿入部２４に差し込む時点では、ガイド溝２５の入口部２５ｂは、基板組品１２の組み込み性を考慮して、検出部１４をガラス板６ａより離れた位置でスライドさせて、組み込み終わる位置で検出部１４がガラス板６ａに密着或いは近接するように、終端部２５ａが起き上がるように構成される。
【００７８】
また、基板ケース１７は、横長の長方形状をなしている。すると、上記のようにスライド部材２０のみでは、基板ケース１７の中央付近が湾曲して、基板１５上の検出部１４がガラス板６ａから離れるおそれがある。
【００７９】
そこで、本実施形態では、基板ケース１７の背面中央よりの上下端には、凸部１７ｂが設けられている。これにより、基板ケース１７をケースカバー１８内に組み込んだ場合、凸部１７ｂが基板ケースの湾曲を矯正するように作用する。よって、基板１５上の検出部１４が、ガラス板６ａに密着或いは近接するように設けることができる。
【００８０】
また、ケースカバー１８の背面には、図７に示すように、複数のリブ１８ａが設けられている。すなわち、発泡断熱材７と接する側に、複数のリブ１８ａが設けられている。
【００８１】
発泡断熱材７が充填発泡された場合、発泡圧がケースカバー１８に作用する。この場合、複数のリブ１８ａによって、発泡圧によるケースカバー１８の変形を抑制することができる。また、リブ１８ａは、当該リブ１８ａに沿って発泡断熱材７が流動するように導くので、充填発泡を阻害しないように作用する。さらに、リブ１８ａを取り囲むように発泡断熱材７が均等に充填されて硬化するため、ケースカバー１８の固定を確実にすることができる。
【００８２】
以上より、発泡断熱材７の充填発泡によって、ケースカバー１８が変形したりずれたりすることを抑制することができるため、ケースカバー１８内に基板組品１２を組み込む場合、ガイド溝２５とスライド部材２０との位置ずれを抑制することができる。すなわち、確実に基板１５上の検出部１４がガラス板６ａに密着或いは近接するように設けることができる。
【００８３】
次に、ガラス板６ａとケースカバー１８によって形成された空間２６内に、基板組品１２を組み込む場合について、さらに図６を参照しながら説明する。
【００８４】
入口部２５ｂ側のスライド部材２０を、ガイド溝２５の入口部２５ｂに位置した状態でガイド溝２５に沿って軽く押し込む。すると、終端部２５ａ側のスライド部材２０は、ガイド溝２５の終端部２５ａにさしかかり、基板組品１２の検出部１４（図４参照）が、フィルム１６を介してガラス板６ａに密接或いは近接する。
【００８５】
入口部２５ｂ側のスライド部材２０は、図６に示すように、入口部２５ｂからガイド部２５ｃに乗り、基板ケース１７に設けられた係止部２３は、弾性力に抗してストッパー２７を乗り越えてからストッパー２７に係止する。これにより、基板組品１２は、検出部１４がフィルム１６を介して扉前面板６であるガラス板６ａに密着或いは近接した状態で固定される。
【００８６】
次に、基板側のコネクタ２２は、挿入部２４側に位置している。図７に示すように、電源コード等のケーブル線２８は、ケースカバー１８内に予め引き出されている。そして、ケーブル線２８の先端であるケーブル線側コネクタ２９を、基板側のコネクタ２２に差し込む。これにより、ケーブル線２８を空間２６内で纏めることができる。この状態で蓋１１を取り付けて、組み立て作業が終わる。なお、点検・修理時に基板組品１２を取り外す場合、上記と逆の操作をすればよい。
【００８７】
なお、ケーブル線２８は、扉２の発泡断熱材７側より空間２６に引き出されている。空間２６への引き出し口３０は、図６に示すように、蓋１１に近い所に設ける。これにより、ケーブル線２８の纏め作業が効率的になる。
【００８８】
また、引き出し口３０は、左冷蔵室扉２ａを冷蔵庫本体１に組み込んだ時、空間２６の上方に位置させる。これにより、空間２６に付いた結露水が、引き出し口３０より発泡断熱材７側に浸入するのを防止できる。
【００８９】
なお、ガラス板６ａの裏面に直接印刷等により表示部１０を形成し、フィルム１６を除去する構成とする場合には、次の課題が生じる。発泡断熱材７を充填させる工程において、ガラス板６ａに設けた表示部１０とケースカバー１８が、発泡圧力により約１，２mm程度の位置ずれを生じる。すなわち、ケースカバー１８に設けたガイド溝２５により、基板組品１２が位置決めされるため、基板１５上に設けられたＬＥＤ発光部１３と、表示部１０との間で位置ずれが生じる。そのため、表示部１０に照明ムラが発生し、外観上好ましくない。また、位置ずれを考慮して、文字表示部を大きくすることは、外観上好ましくない。
【００９０】
すなわち、基板組品１２を基板ケース１７，基板１５、及びフィルム１６等より構成することで、発泡断熱材７を充填させる工程において、ケースカバー１８が位置ずれを生じても、表示部１０の照明ムラを生じにくい構成である。
【００９１】
本実施例では、基板ケース１７に設けた４片のスライド部材２０とケースカバー１８に設けたガイド溝２５との関係で、基板組品１２をガラス板６ａに密着させる構造を説明した。しかし、これは検出部１４をガラス板６ａに密着させるための一例であり、この構成に限定されるものではない。また、挿入部２４を設ける位置も上記で説明した扉側面に限定されるものではなく、扉底面，上面或いは背面（発泡断熱材側）であってもよい。
【００９２】
次に、図８Ａにおいて、基板組品１２は、基板ケース１７，ＬＥＤ発光部１３，基板１５，フィルム１６等より構成されている。そして、基板ケース１７の凹部２１に、基板１５が収納される。なお、基板１５の表面１５ａは、基板ケース（基板収納部材）１７に設けたフランジ部１７ａと同一平面となるよう収納される。この状態で粘着剤付きフィルム１６が、基板１５の表面１５ａ及び基板ケース１７のフランジ部１７ａに密着固定される。
【００９３】
従って、基板１５上の検出部１４とフィルム１６間には空間部が存在しないか或いは近接するように構成している。
【００９４】
次に、ＬＥＤ発光部１３の構成について、図８Ｂを参照しながら説明する。基板１５の検出部１４の反対面には、ＬＥＤ１３ｂが配置される。ＬＥＤ１３ｂの近傍には、孔部１５ｂが設けられる。孔部１５ｂ内には、ＬＥＤ透光部１３ａが設置される。孔部１５ｂの対向面には、フィルム１６が配置される。
【００９５】
これにより、ＬＥＤ１３ｂが点灯した場合、ＬＥＤ１３ｂの対向面に配置されたＬＥＤ透光部１３ａの根元１３ｃに入光される。ＬＥＤ透光部１３ａは、ポリスチレンの透明樹脂或いはアクリルの透明樹脂材等で射出成形されている。そのため、図８Ｂの矢印の如く、ＬＥＤ透光部１３ａ内を屈折して透光して、ＬＥＤ透光部１３ａの表面１３ｄを点灯させる。これにより、フィルム１６の表示文字を照らす構成である。
【００９６】
なお、図８Ａにも示す如く、フィルム１６に印刷されている急冷蔵，急冷凍等の表示文字に対応して全て照らす必要がある。そのため、本実施例では、図８Ａに示すように、基板１５に複数の孔部１５ｂ及びＬＥＤ１３ｂが設けられ、当該複数の孔部に対応するようにＬＥＤ透光部１３ａが複数設けられている。
【００９７】
本構成によれば、基板１５を内蔵した基板ケース１７の厚さを最小限にすることができ、発泡断熱材７の厚さを充分に確保することができる。
【００９８】
そして、図示しないが、自動制御部から点灯指示された場合、フィルム１６の裏側から表示部１０を照らし、ガラス板６ａを透過してライトアップして文字を見やすくする。
【００９９】
換言すると、本実施例におけるＬＥＤ発光部１３は、検出部１４が静電容量を検出した時のみ点灯するものである。すると、実使用状態において、小さな子供にはガラス板６ａそのものが操作部９であると認識し難い。よって、悪戯等を防止することができる。
【０１００】
なお、フィルム１６に印刷等で表わされた文字は、使用者にはガラス板６ａを透過して視認できるものである。
【０１０１】
ＬＥＤ発光部１３の点灯は、次のように行われる。すなわち、ガラス板６ａを通して前面に見える文字部分の操作部９に、使用者が指等を触れると、検出部１４がこれを検出する。すると、判定部及び自動制御部が動作し、例えば急冷蔵が指示された場合、表示部１０の「急冷蔵」の文字部分を照らすべく点灯する。
【０１０２】
本発明は、以上説明した各実施例の構成を有するものであるから、次の如き効果が得られる。
【０１０３】
すなわち、冷蔵庫の扉前面板は、絶縁性及び透光性を有するガラス部材とする。そして、ガラス部材前面を平面状の操作部として、且つ当該操作部の後方であってガラス部材の裏面に印刷等した文字表示部を設ける。また、当該操作部に対向するガラス部材の裏面には、基板上の判定部に繋がる検出部を接触又は近接して設け、且つ操作部近傍に操作結果を表示する表示部等の文字表示を設ける。また、この表示部の文字表示を基板に設けた発光ダイオード等により後方から照射する。
【０１０４】
検出部が静電容量の変化を検出した時、基板上の判定部を介して、自動制御部で負荷を動作させてＬＥＤのオン／オフを制御する。
【０１０５】
これにより、扉前面板が絶縁体となり透光性のガラス板で構成されているので、タッチ電極に当たる操作部がガラス前面となり、操作パネルを不要とする。また、水分や油脂等でガラス前面が汚れた場合、当該ガラス前面は平面状のため、簡単に拭き取ることができる。また、子供の悪戯を抑制することができる。また、使用者が水分或いは油脂分の付着した手や指で操作部に触るようなことがあっても、操作部はガラス部材そのもののため、電気品の腐食や劣化を抑制できる。また、扉表面は平面であるため、拭き掃除が容易である。
【０１０６】
また、操作部と併設して設けられた表示部は、基板上の自動制御部の指示により、ＬＥＤ等で後方から照らされ、ガラス部材表面に映し出される。
【０１０７】
これにより、使用者は自ら入力した内容を、扉を開閉等することなく扉表面の表示で確認できるので、誤入力や無駄な扉開閉を防止できる。
【０１０８】
また、基板は表示部を照明するＬＥＤ発光部、静電容量の変化を検出する検出部，判定部及びマイコンを含む自動制御部等を備えている。また、基板はフィルムと基板ケースとで覆われ、検出部にフィルムが接触又は近接して、ガラス板にフィルムを介して検出部が接触又は近接するように設けられている。
【０１０９】
これにより、操作部と判定部との位置関係は一定に保たれるとともに、マイコン等はフィルムと基板ケースに保護されて損傷するおそれを低減する。さらに、基板ケースを取り付ける場合、基板ケースでガラス部材の裏面を損傷するおそれがない。
【０１１０】
また、基板を内蔵した基板ケースは、発泡断熱材から隔離したケースカバー内に収納され、基板表面に設けられた検出部に接触又は近接するフィルムは、ガラス部材の裏面に検出部が接触又は近接するように取り付けられている。
【０１１１】
これにより、基板ケース内に組み込まれた基板が、充填される発泡断熱材の侵入により故障することを防止できる。
【０１１２】
また、表示部以外のガラス部材の後面に有色塗料が設けられる。
【０１１３】
これにより、表示部の透明度は保たれ、ガラス裏面に貼ったガラス保護材や発泡断熱材等は、扉正面からは見えず、外観上良好なものとする。
【０１１４】
また、基板は表示部を照明するＬＥＤと、静電容量の変化を検出する検出部と、判定部及びマイコンを含む自動制御部等を備えており、検出部を扉表面側の基板面に配置し、検出部を配置した基板の反対面に表示部を照明するＬＥＤを配置する。また、ＬＥＤを配置した基板の周囲に角穴を設け、当該角穴の対向面に表示部を設ける。
【０１１５】
これにより、基板を内蔵した基板ケースの厚さを低減することができ、発泡断熱材の厚さを充分に確保することができる。
【０１１６】
また、ガラス部材は高さ方向に長い平面形状であり、基板は横長形状であって且つ該基板の長手方向がガラス部材の高さ方向に交差するように配置される。また、ガラス部材の厚さは２mmから３.５mmとする。
【０１１７】
これにより、発泡断熱材充填時，冷蔵庫使用時、及び冷蔵庫組み立て時等に、ガラス板が割れたり亀裂が入ったりすることを防止できる。また、ガラス自体の熱変形等の影響を最小限に抑えることができる。また、製造原価を低減することができる。
【０１１８】
なお、ガラス部材の厚さを２mmから３.５mmとする理由は、次のとおりである。すなわち、発泡断熱材充填時，冷蔵庫使用時，冷蔵庫組み立て時、及び冷蔵庫の運搬時等に、扉前面板であるガラス部材が受ける衝撃を考慮したものである。具体的に、扉の上方１ｍの高さから１kgの銅球を落下させた場合、ガラス部材が割れない強度を確保している。
【０１１９】
また、更なる強度を確保するために、ガラス部材に熱強化処理又は化学強化処理を加えてもよい。また、冷蔵庫そのものの質量を低減するために、ガラス部材の厚さは、強度さえ確保できれば、より薄い方が好ましい。
【０１２０】
本実施例の場合、先にも説明した如く、ガラス部材が割れても破片が飛び散らないように、ガラス部材の裏面には保護材が貼られている。さらに、強化処理を加えた場合、ガラスの破片は小さくなり、安全性を高めることができる。
【０１２１】
また、ガラス部材，フィルム及び保護フィルムの厚さ寸法は、操作部の操作による静電容量の変化を検出部で検出することのできる厚さである。
【０１２２】
また、基板に静電容量の変化を検出する検出部を設け、判定部が静電容量の変化を判定した際には、基板に備えられた報知手段であるブザーが報知音を発する。なお、報知音は制御内容の変化に伴い報知音に音階を設ける或いは報知音回数を変化させる。
【０１２３】
これにより、使用者が操作を行った場合、報知音の音階及び報知音回数により、音にて入力した内容を確認できるものである。冷蔵庫の扉表面板を凹凸のないガラス部材で構成し、且つ平面状の操作部を設けているので、内容を音で確認できることは重要となる。
【０１２４】
また、扉に設けた挿入部より基板組品をケースカバー内に組み込む際、ケースカバーに設けたガイド溝及び終端部並びに基板カバーに設けたスライド部材との関係で、基板組品の表面は、ガラス板裏面に接触又は近接させる。
【０１２５】
これにより、判定部及びガラス板裏面に損傷を与えることなく、基板組品の収納が可能となる。また、小さい力で基板組品の着脱が可能となる。
【０１２６】
また、扉の側面，上面若しくは底面に設けた挿入部から、基板をケースカバー内に着脱自在に装着すると共に、挿入部を蓋で閉塞する。
【０１２７】
これにより、使用者に挿入部が視認されにくく、意匠的に優れたデザインとすることができる。また、扉を冷蔵庫本体から分離等することなく、蓋の開閉によって基板組品のサービス点検ができる。
【０１２８】
また、扉の縁部、すなわち側面，上面若しくは底面に設けた挿入部から、基板をケースカバー内に着脱自在に装着すると共に、基板を装着した後、ケースカバー内に引き出されたケーブル線のコネクタを基板側コネクタに接続する。
【０１２９】
これにより、ケーブル線の接続・収納作業が容易となる。
【０１３０】
また、樹脂製の基板ケースと一体に形成された係止部は、弾性を有し、該弾性を利用してケースカバー側のストッパーに係止部が係止され、該基板ケースをケースカバー内に固定する。
【０１３１】
これにより、冷蔵庫本体に衝撃が加わった場合、ケースカバー内に装着した基板組品の位置がずれることを防止し、検出部が静電容量の変化を検出できなくなることを防止する。
【０１３２】
〔実施の形態３〕
次に、実施の形態３を図９及び図１０を用いて説明する。尚、実施の形態１及び２と同じ構成要素については、同一符号を付して詳細な説明を省略する。また、左冷蔵室扉を用いて説明するが、ほかの扉も操作部と表示部の有無以外は略同様の構成である。
【０１３３】
本実施の形態における冷蔵庫の扉も、その外表面に透光性を有する扉前面板であるガラス板６ａを備えたものである。このガラス板６ａは、扉枠３に設けられた収納部に収納される。この収納部は、前側フランジ２ｃ１と内側フランジ２ｃ２とで構成されている。実施例の図示では、内側フランジ２ｃ２及び前側フランジ２ｃ１に挟まれ、その下端部が支持される。
【０１３４】
ガラス板６ａの裏面には有色塗料面１９が設けられる。有色塗料面１９の表面に塗料保護部材である防水性の保護フィルム１９ａを貼り付ける。これにより、ガラス板６ａと前側フランジ２ｃ１との隙間から万一水が浸入したとしても、浸入した水分が有色塗料面１９に浸透しないように保護する。
【０１３５】
保護フィルム１９ａは、塩化ビニル製シートを用いた。これは、発泡断熱材７との接着強度が、鉄板は約８Ｎ／mm2，ＡＢＳは約４〜６Ｎ／mm2程度で、塩化ビニル製シート２.４〜３.３Ｎ／mm2程度と低い。これにより、ガラス板６ａを発泡断熱材から分離し易い。すなわち、保護フィルム１９ａは、発泡断熱材７との密着性が弱く、冷蔵庫解体時には扉からガラス板６ａを容易に分離し取り外せるので、リサイクル性を考慮する場合は発泡断熱材７との接着強度の低いものを用いるとよい。具体的には、解体する冷蔵庫をリサイクルセンター等で解体する場合に、リサイクル材としてガラス板６ａのみを分別して取り外すことが容易となる。
【０１３６】
また、前記保護フィルム１９ａと発泡断熱材７との間には、保持部材３１が介在されて、保護フィルム１９ａと発泡断熱材７が接着しないように両部材間を保持している。これにより、発泡断熱材７を発泡する際の高温の熱及びこの高温の発泡断熱材が流動する際の粘性と発泡圧力，時間経過などによる様々な影響が、保護フィルム１９ａに伝わるのを抑制するように保持できる。
【０１３７】
更には、保護フィルム１９ａ発泡断熱材７との間には、前記保持部材３１に真空断熱材３２が粘着テープやホットメルト（図示なし）などの接着手段により取り付ける。その後、発泡断熱材７により所定の位置に位置決め固定する。つまり、真空断熱材３２とガラス板６ａとが近接するように、保持部材３１を介在して配置する。
【０１３８】
この保持部材３１に貼り付けた真空断熱材３２を、保護フィルム１９ａの表面との間に保持部材３１が介在されるように配置する（保護フィルム１９ａと保持部材３１とは接着固定しない。）。これは、真空断熱材３２を保護フィルム１９ａの表面に粘着テープで直接貼り付けてしまうと剥がし難くなり、リサイクル時の解体作業の効率が悪くなるためである。
【０１３９】
前記保持部材３１を介在させることで、真空断熱材３２と保護フィルム１９ａとが接着しないようにし、有色塗料面１９及び保護フィルム１９ａを備えたガラス板６ａと、真空断熱材３２とに分離し易くしている。
【０１４０】
保持部材３１の下端部は、内側フランジ２ｃ２の上端に向かって間隙が拡大する拡大部２ｃ４を利用して、ガラス板６ａとともに内側フランジ２ｃ２と前側フランジ２ｃ１との間に収納されて支持される。このとき、保持部材３１は扉枠２ｃの底面部２ｃ３と接しないように配置される。これによって、保持部材３１と扉枠２ｃの底面部２ｃ３との間で且つ、ガラス板６ａと内側フランジ２ｃ２との間に空間３３が形成される。
【０１４１】
このように保持部材３１の下端を扉枠２ｃの底面部２ｃ３と接しないように配置することで、ガラス板６ａと前側フランジ２ｃ１との間に隙間があり、この隙間からガラス板６ａの外表面を水拭きした際に水が浸入したとしても、保持部材３１に水が浸透することを抑制する。このため、保護フィルム１９ａを有しない場合でも、有色塗料面１９に水が付着するのを抑制し、ひいては変色することを抑制できる。
【０１４２】
また、保護フィルム１９ａを有していても、保護フィルム１９ａと保持部材３１の間に毛細管現象で水分を吸い上げることが抑制されるので、保護フィルム１９ａの防水性を劣化させるのを抑制できる。したがって、保護フィルム１９ａの防水性が劣化した場合には、保護フィルム１９ａを浸透した水が、有色塗料面１９の内部に浸透する虞があるが、これを防止できる。
【０１４３】
また、内側フランジ２ｃ２の拡大部２ｃ４、すなわち傾斜を利用して保持部材３１の挿入することで、スムーズ且つ確実に作業ができると共に保持部材３１の端部の劣化・損傷を抑制する効果がある。
【０１４４】
尚、前記実施例の拡大部２ｃ４は、直線上の傾斜面で構成したが、波状や階段状の傾斜面に形成しても保持部材３１を扉枠２ｃの底面部２ｃ３に接しないようにする支持効果が得られる。
【０１４５】
保持部材３１と真空断熱材３２とが簡単に剥離若しくは変形しないよう、これらの収縮率は同等であることが望ましい。また、保持部材３１は、発泡断熱材の発泡時（約６０℃）や生活環境下における温度変化によって真空断熱材３２が変形することを抑制できる強度が必要である。
【０１４６】
更に、真空断熱材３２をガラス板６ａの裏面に配置し、発泡断熱材７を発泡前に図９のように扉を垂直に立てた場合でも、真空断熱材３２の重量で保持部材３１が撓まない程度の強度や厚みが必要である。収縮率及び強度等の条件を満たすものとして例えば、ボール紙，ＰＥＴフィルム，厚さ０.３〜０.４mm程度の鉄板などが望ましい。
【０１４７】
また、ガラス板６ａの裏面には、前記のとおり有色塗料面１９を保護するための保護フィルム１９ａが設けられている。有色塗料面１９の端部は、前側フランジ２ｃ１の上端（本実施の形態において、例えば前側フランジ２ｃ１の高さ寸法は約８mm）よりも扉枠２ｃの底面部２ｃ３側に低く、且つ扉の前方斜め上方から目視した場合に有色塗料面１９の端部が見えないと共に、扉枠２ｃの底面部２ｃ３と接しない高さ位置まで塗装されている。ガラス板６ａの厚さ寸法が３.０mmで前側フランジ２ｃ１の高さ寸法が８mmの場合は、扉前面に近づいて斜め上方から目視して有色塗料面１９の端部が見えないのは、ガラス板６ａの下端面６ａ１から約２mm以内である。
【０１４８】
これは、扉の清掃時にガラス板６ａの外表面を水拭きすると、ガラス板６ａと前側フランジ２ｃ１との隙間から水が浸入する虞があること、そして、扉枠２ｃの底面部２ｃ３に有色塗料面１９の端部が接していると、その接触部から水が浸入して有色塗料面１９が変色して見える若しくは変質する虞があること、を考慮しているからである。
【０１４９】
そこで、扉枠２ｃの底面部２ｃ３と有色塗料面１９の端部とが接触しないように、例えば２mm程度距離を設けることで、万一水が浸入したとしても、浸入した水が有色塗料面１９に接触せず若しくは接触しても接触寸法が小さくなって影響が小さくなる。しかも接触寸法が小さいことから、水が少し乾燥すれば隙間の水位が下がって、有色塗料面１９の下端に接触しなくなる。
【０１５０】
この有色塗料面１９の下端に水が接触しなくなるまでの時間を、短時間にできる。したがって、有色塗料面１９の内部に水が浸透するのを抑制できる。このように、水が有色塗料面１９の内部に浸透するのを抑制することで、有色塗料面１９内部に水が浸透した場合の光の透過率や反射率が部分的に違ってしまうことが抑制される。これによって、色が部分的に違って見えることを抑制できる。
【０１５１】
また、有色塗料面１９内部に水が浸透しない場合であっても、有色塗料面１９の裏側に水が重なった場合は、光の透過率や反射率が部分的に違ってしまうことは避けられない。この有色塗料面１９の裏側に水が重なることも上記実施例は改善できるので、色が変って見えることを抑制できる。また、有色塗料面１９内部に水が浸透した場合や有色塗料面１９の裏側に水が重なった場合は、水が乾いても元の色に戻らず、染みの後が残ってしまう場合がある。更には、長期間水が乾燥しない場合は、塗料そのものが変質してしまう虞がある。
【０１５２】
しかし上記したとおり、実施例の構成によれば、浸入した水が短時間で乾燥すると共に、少し乾燥して水位が少し下がり有色塗料面１９の下端に水が接触しなくなるまでの時間が短時間になるので、水が乾燥して染みの後が残ること、或いは、塗料そのものの変質を抑制することができる。
【０１５３】
すなわち、扉枠２ｃとガラス板６ａとの隙間から浸入した水が、有色塗料面１９の端部に接触し、長時間或いは長期間乾燥せず接触した状態になると、塗料の表面から塗料内部に浸透することになる。特に、冷蔵庫を購入後に何年も経過して直射日光や紫外線などの光に長年晒されたり、空気中の酸素による酸化或いは空気中の有害ガスに長年晒された状態で使用した場合は、塗料が劣化して塗料内部に水が浸透し易くなる虞がある。
【０１５４】
有色塗料面１９を覆うように設けられた保護フィルム１９ａの端面は、ガラス板６ａの下端面６ａ１から２mm以内になるように設けている。つまり、有色塗料面１９を覆うと共に扉枠２ｃの底面部２ｃ３と接しない高さ位置にしている。因みに、ガラス板６ａの下端面６ａ１と保護フィルム１９ａの下端とが当接していても、ガラス板６ａの下端面６ａ１から保護フィルム１９ａの下端が長く突出するまで貼られていてもよい。つまり、保護フィルム１９ａにより、有色塗料面１９が完全に覆われている状態であることが望ましい。
【０１５５】
これにより、扉の清掃時にガラス板６ａの外表面を水拭きしたときに、ガラス板６ａと前側フランジ２ｃ１との隙間から水が浸入したとしても、有色塗料面１９が変色して見えたり劣化・変質することを抑制できる。
【０１５６】
また、製造工程においては、保護フィルム１９ａの端部に小さな皺が部分的にでき易い。この皺は、保護フィルム１９ａが薄く且つ軟らかいことから、保護フィルム１９ａで有色塗料面１９を覆うようにガラス板６ａに貼り付ける際に、極めて僅かな貼り付け力のばらつき・ずれ、或いは、貼り付けスピードのばらつき，温度変化等の様々な条件が原因で、端部において部分的に皺が形成される場合がある。これは、機械での自動貼り付け、或いは、熟練した作業者の手作業での貼り付けの何れの場合でもある程度は発生してしまうものである。
【０１５７】
この皺が大きい場合は、皺とガラス板６ａとの間の隙間に水が浸入する。この皺の大きさを、保護フィルム１９ａの端部側（周囲）から中央方向に延びる寸法を２mm以内の小さい寸法にする。これによって、皺とガラス板６ａとの間に隙間が形成されず若しくは隙間が小さくなり、有色塗料面１９へ水が浸入することを抑制できる。例えば、ガラス板６ａの下端面６ａ１と保護フィルム１９ａの下端との間の寸法が１mmの場合は、扉枠２ｃとガラス板６ａとの隙間から水が浸入したとしても、ガラス板６ａの裏面に貼られた保護フィルム１９ａ下端に届く水位になるような水量が浸入することは通常起こり難い。
【０１５８】
例え保護フィルム１９ａの下端に届く水位になるまで水が浸入したとしても、保護フィルム１９ａの下端に生じる皺の寸法が１mm以内であれば、皺とガラス板６ａとの間に隙間が殆ど形成されず、且つ、隙間内の空気が排出され難いことから、隙間に水が浸入することを抑制できる。
【０１５９】
なお、上述したガラス板６ａの下端面６ａ１と保護フィルム１９ａの端面との間の最適な寸法や、皺の最適な寸法に関しては、実験により確認済みである。
【０１６０】
上述のとおり、実施の形態３における冷蔵庫は、断熱扉の外板をガラス製とした際の水の浸入を考慮し、ガラス板６ａと扉枠２ｃとの隙間から水が浸入したとしても、水の浸入の影響をなくす若しくは少なくして、操作部の操作内容が正確に検知できる。
【０１６１】
更には、ガラス板６ａと扉枠２ｃとの隙間から水が浸入したとき、有色塗料面が変色して見えるまたは変質して色が変わるのを抑制できるものである。
【０１６２】
また、ガラス板６ａと扉枠２ｃとの隙間から水が浸入したとしても、塗料保護部材と前記発泡断熱材とが接着しないように両部材間を保持する保持部材に水が接触しない若しくは接触しても短時間で乾燥するようにして、有色塗料面が変色して見えるまたは変質して色が変わるのを抑制するものである。
【０１６３】
更には、ガラス板６ａと接するように真空断熱材を配置するものにおいては、前記保持部材に真空断熱材を貼り付けておくことにより、真空断熱材を所定の位置に配置することが容易となり作業性の向上及びリサイクル解体時の作業性を向上できる。
【符号の説明】
【０１６４】
２ａ  左冷蔵室扉
２ｃ  扉枠
６  扉前面板
６ａ  ガラス板
７  発泡断熱材
８  扉内板
９  操作部
１０  表示部
１１  蓋
１２  基板組品
１３  ＬＥＤ発光部
１４  検出部
１５  基板
１５ａ  表面
１５ｂ  孔部
１６  フィルム
１７  基板ケース
１７ａ  フランジ部
１８  ケースカバー
１９  有色塗料面
１９ａ  保護フィルム
２０  スライド部材
２１  凹部
２２  コネクタ
２３  係止部
２４  挿入部
２５  ガイド溝
２５ａ  終端部
２５ｂ  入口部
２５ｃ  ガイド部
２６  空間
２７  ストッパー
２８  ケーブル線
２９  ケーブル線側コネクタ
３０  引き出し口
３１  保持部材
３２  真空断熱材
３３  空間
【図１】
0005487191.tif 000002
【図２】
0005487191.tif 000003
【図３】
0005487191.tif 000004
【図４】
0005487191.tif 000005
【図５】
0005487191.tif 000006
【図６】
0005487191.tif 000007
【図７】
0005487191.tif 000008
【図８Ａ】
0005487191.tif 000009
【図８Ｂ】
0005487191.tif 000010
【図９】
0005487191.tif 000011
【図１０】
0005487191.tif 000012